【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームを開始させることが可能となり、各々が識別可能な複数種類の図柄を変動表示可能な複数の可変表示部を含む可変表示装置に表示結果が導出されることにより１ゲームが終了し、該可変表示装置に導出された表示結果に応じて入賞が発生可能とされたスロットマシンにおいて、
前記可変表示装置の表示結果が導出されるより前に入賞表示結果の導出を許容するか否かを決定する手段であって、前記遊技用価値の付与を伴う複数種類の小役表示結果の導出を許容する旨を決定する小役決定手段と、前記複数種類の小役表示結果のうちの特定小役表示結果の導出を許容する旨が決定される確率を通常遊技状態よりも高くする特別遊技状態への移行を伴うとともに前記遊技用価値の付与を伴わない入賞表示結果である異なる種類の図柄の組み合わせにより構成される特別表示結果の導出を許容する旨を決定する特別決定手段と、を含む事前決定手段と、
前記事前決定手段の決定結果に応じて前記可変表示装置の表示結果を導出させる導出制御手段と、
前記特別表示結果が導出されたときに前記特別遊技状態に遊技状態を制御する手段であって、該特別遊技状態に継続して制御されるゲーム数の期待値が所定ゲーム数となるように前記特別遊技状態に遊技状態を制御する特別遊技状態制御手段と、
前記特別遊技状態が終了した後に、前記特別遊技状態とは異なる遊技状態であり、前記通常遊技状態よりも遊技者にとって有利な特定遊技状態に遊技状態を制御する特定遊技状態制御手段と、
前記可変表示装置に導出される表示結果とは別個に設けられ、前記可変表示装置に表示結果が導出されたときに、演出用表示結果を表示する演出用表示手段と、
前記演出用表示結果を前記演出用表示手段に表示させる制御を行う表示制御手段と、
を備え、
前記小役決定手段は、前記通常遊技状態において前記複数種類の小役表示結果のうちで前記特定小役表示結果の導出を許容する旨を最も高い確率で決定し、
前記表示制御手段は、前記特別表示結果が導出されてから前記特別遊技状態が終了するまでの間において、前記可変表示装置に導出された前記特別表示結果以外では前記特別遊技状態に制御されていることを遊技者が特定不能となる演出用表示結果を前記演出用表示手段に表示させる制御を行う特別遊技状態特定不能化制御手段を含み、
前記スロットマシンは、前記通常遊技状態または前記特別遊技状態特定不能化制御手段により特定不能とされた特別遊技状態において、前記所定ゲーム数連続して前記小役表示結果が導出されたときに、前記特定遊技状態に制御される可能性を報知する特定可能性演出を実行する特定可能性演出実行手段をさらに備え、
前記特別遊技状態特定不能化制御手段は、
前記事前決定手段により前記特定小役表示結果の導出を許容する旨が決定されたゲームにおいて、当該ゲームの遊技状態が前記通常遊技状態であるか、前記特別遊技状態であるか、に応じて異なる割合で複数態様の演出用小役表示結果のうちいずれか１態様の演出用小役表示結果を選択する演出用小役表示結果選択手段と、
前記演出用小役表示結果選択手段により選択された態様の演出用小役表示結果を前記演出用表示手段に表示させる制御を行う演出用小役表示結果表示制御手段と、
を含む、
ことを特徴とするスロットマシン。
【請求項２】
前記複数態様の演出用小役表示結果は、前記演出用表示手段における所定の位置に第１の演出用小役図柄が表示される第１の演出用小役表示結果、及び前記演出用表示手段における前記所定の位置に第２の演出用小役図柄が表示される第２の演出用小役表示結果を含み、
前記演出用小役表示結果選択手段は、
前記事前決定手段により前記特定小役表示結果の導出を許容する旨が決定されたゲームにおいて当該ゲームが前記通常遊技状態である場合に、前記第１の演出用小役表示結果を前記第２の演出用小役表示結果よりも高い割合で選択する通常時演出用小役表示結果選択手段と、
前記事前決定手段により前記特定小役表示結果の導出を許容する旨が決定されたゲームにおいて当該ゲームが前記特別遊技状態である場合に、前記第２の演出用小役表示結果を前記通常時演出用小役表示結果選択手段よりも高い割合で選択する特別時演出用小役表示結果選択手段と、
を含む、
ことを特徴とする請求項１に記載のスロットマシン。
【請求項３】
前記複数態様の演出用小役表示結果は、前記演出用表示手段における単一の演出用入賞ライン上にのみ演出用小役図柄が揃う単一演出用小役表示結果、及び前記演出用表示手段における複数の演出用入賞ライン上に前記演出用小役図柄が同時に揃う複数演出用小役表示結果を含み、
前記演出用小役表示結果選択手段は、
前記事前決定手段により前記特定小役表示結果の導出を許容する旨が決定されたゲームにおいて当該ゲームが前記通常遊技状態である場合に、前記単一演出用小役表示結果を前記複数演出用小役表示結果よりも高い割合で選択する通常時演出用小役表示結果選択手段と、
前記事前決定手段により前記特定小役表示結果の導出を許容する旨が決定されたゲームにおいて当該ゲームが前記特別遊技状態である場合に、前記複数演出用小役表示結果を前記通常時演出用小役表示結果選択手段よりも高い割合で選択する特別時演出用小役表示結果選択手段と、
を含む、
ことを特徴とする請求項１または２に記載のスロットマシン。
【請求項４】
前記演出用小役表示結果選択手段は、前記事前決定手段により前記特定小役表示結果の導出を許容する旨が決定されたゲームにおいて、前記特定小役表示結果の導出が連続する程、前記第２の演出用小役表示結果または前記複数演出用小役表示結果を高い割合で選択する、
ことを特徴とする請求項２または３に記載のスロットマシン。
【請求項５】
前記表示制御手段は、前記事前決定手段により前記特定小役表示結果の導出を許容する旨が決定されたゲームにおいて当該ゲームが前記特別遊技状態であることを条件に、前記複数態様の演出用小役表示結果とは異なる特殊演出用表示結果を前記演出用表示手段に表示させる制御を行う特殊演出用表示結果表示制御手段を含む、
ことを特徴とする請求項１〜４のいずれかに記載のスロットマシン。
【請求項６】
前記特殊演出用表示結果表示制御手段は、前記事前決定手段により前記特定小役表示結果の導出を許容する旨が決定されたゲームにおいて当該ゲームが前記特別遊技状態である場合に、前記特定小役表示結果の導出が連続する程、前記特殊演出用小役表示結果を高い割合で表示させる制御を行う、
ことを特徴とする請求項５に記載のスロットマシン。
【請求項７】
前記可変表示装置に前記特定小役表示結果が連続して導出されたゲーム数を報知する小役連続ゲーム数報知手段を備える、
ことを特徴とする請求項１〜６のいずれかに記載のスロットマシン。
【請求項８】
前記小役連続ゲーム数報知手段は、前記特別遊技状態の対象外となる入賞表示結果が前記可変表示装置に導出された場合に、前記特定小役表示結果が連続して導出されたゲーム数の報知を終了する、
ことを特徴とする請求項７に記載のスロットマシン。
【請求項９】
前記特別遊技状態特定不能化制御手段は、前記事前決定手段により前記特別表示結果の導出を許容する旨が決定されたゲーム、及び前記事前決定手段によりいずれの入賞表示結果の導出も許容しない旨が決定されたゲームにおいて、演出用ハズレ表示結果を前記演出用表示手段に表示させる演出用ハズレ表示結果表示制御手段を含む、
ことを特徴とする請求項１〜８のいずれかに記載のスロットマシン。
【請求項１０】
前記演出用表示手段は、前記可変表示装置よりも視認容易に設けられている、
ことを特徴とする請求項１〜９のいずれかに記載のスロットマシン。
【手続補正２】
【補正対象書類名】明細書
【補正対象項目名】００１１
【補正方法】変更
【補正の内容】
【００１１】
上記課題を解決するために、本発明の請求項１に記載のスロットマシンは、
遊技用価値を用いて１ゲームに対して所定数の賭数を設定することによりゲームを開始させることが可能となり、各々が識別可能な複数種類の図柄（入賞用図柄）を変動表示可能な複数の可変表示部を含む可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）において、
前記可変表示装置の表示結果が導出されるより前に入賞表示結果の導出を許容するか否かを決定する手段であって、前記遊技用価値の付与を伴う複数種類の小役表示結果の導出を許容する旨を決定する小役決定手段（内部抽選による小役の抽選）と、前記複数種類の小役表示結果のうちの特定小役表示結果の導出を許容する旨が決定される確率を通常遊技状態よりも高くする特別遊技状態（レギュラーボーナス）への移行を伴うとともに前記遊技用価値の付与を伴わない入賞表示結果である異なる種類の図柄の組み合わせにより構成される特別表示結果の導出を許容する旨を決定する特別決定手段（内部抽選による特別役の抽選）と、を含む事前決定手段と、
前記事前決定手段の決定結果に応じて前記可変表示装置の表示結果（当選役に対応する表示結果）を導出させる導出制御手段と、
前記特別表示結果（「６−７−４」の組み合わせ）が導出されたときに前記特別遊技状態（レギュラーボーナス）に遊技状態を制御する手段であって、該特別遊技状態に継続して制御されるゲーム数の期待値が所定ゲーム数（３ゲーム）となるように前記特別遊技状態（レギュラーボーナス）に遊技状態を制御する特別遊技状態制御手段と、
前記特別遊技状態（レギュラーボーナス）が終了した後に、前記特別遊技状態とは異なる遊技状態であり、前記通常遊技状態よりも遊技者にとって有利な特定遊技状態（ＲＴ）に遊技状態を制御する特定遊技状態制御手段と、
前記可変表示装置に導出される表示結果とは別個に設けられ、前記可変表示装置に表示結果が導出されたときに、演出用表示結果を表示する演出用表示手段（液晶表示器５１の変動領域）と、
前記演出用表示結果を前記演出用表示手段（液晶表示器５１の変動領域）に表示させる制御を行う表示制御手段と、
を備え、
前記小役決定手段は、前記通常遊技状態において前記複数種類の小役表示結果のうちで前記特定小役表示結果（１５枚役）の導出を許容する旨を最も高い確率で決定し、
前記表示制御手段は、前記特別表示結果（「６−７−４」の組み合わせ）が導出されてから前記特別遊技状態（レギュラーボーナス）が終了するまでの間において、前記可変表示装置に導出された前記特別表示結果以外では前記特別遊技状態（レギュラーボーナス）に制御されていることを遊技者が特定不能となる演出用表示結果を前記演出用表示手段（液晶表示器５１の変動領域）に表示させる制御（レギュラーボーナス中も通常遊技状態と同種の演出用表示結果を表示させる制御）を行う特別遊技状態特定不能化制御手段を含み、
前記スロットマシンは、前記通常遊技状態または前記特別遊技状態特定不能化制御手段により特定不能とされた特別遊技状態において、前記所定ゲーム数連続して前記小役表示結果が導出されたとき（３ゲーム連続して１５枚役が入賞したとき）に、前記特定遊技状態に制御される可能性を報知する特定可能性演出（ＲＴ予告演出）を実行する特定可能性演出実行手段をさらに備え、
前記特別遊技状態特定不能化制御手段は、
前記事前決定手段により前記特定小役表示結果の導出を許容する旨が決定されたゲーム（１５枚役が当選したゲーム）において、当該ゲームの遊技状態が前記通常遊技状態であるか、前記特別遊技状態（レギュラーボーナス）であるか、に応じて異なる割合（振り分け率）で複数態様の演出用小役表示結果（パターン番号０５〜０８、１０、１１の表示パターン）のうちいずれか１態様の演出用小役表示結果（いずれかの表示パターン）を選択する演出用小役表示結果選択手段（表示パターン振分処理）と、
前記演出用小役表示結果選択手段により選択された態様の演出用小役表示結果（表示パターン）を前記演出用表示手段に表示させる演出用小役表示結果表示制御手段（結果表示処理）と、
を含む、
ことを特徴としている。
この特徴によれば、通常遊技状態であっても小役表示結果が導出されることはあるが、特別表示結果が導出されると、特定小役表示結果の導出を許容する旨が決定される確率が通常遊技状態よりも高くなる特別遊技状態に遊技状態が制御され、その後、該特別遊技状態とは異なる遊技者にとって有利な特定遊技状態に遊技状態が制御されるので、特定遊技状態に移行する前に、所定ゲーム数の間特定小役表示結果が高い確率で導出され、特定小役表示結果が所定ゲーム数だけ連続することが多くなる。
また、特別表示結果が導出されてから特別遊技状態が終了するまでの間において特別遊技状態に制御されていることを特定可能な演出用表示結果を表示させない、または特別遊技状態に制御されていることを特定不能な演出用表示結果を表示させることにより、可変表示装置に特別表示結果が導出されること以外では特別遊技状態に制御されていることを遊技者が特定不能となる。一方、特別遊技状態だけでなく通常遊技状態であっても、特定小役表示結果が所定ゲーム数だけ連続すれば、特定遊技状態に制御される可能性を報知する特定可能性演出が実行されるため、遊技者が特別表示結果の導出を見逃していたものとすると、特定小役表示結果の導出が所定ゲーム数だけ連続した場合には、実際には特定遊技状態に制御されることがない場合、すなわち通常遊技状態に制御されている場合であっても、特定遊技状態への制御を遊技者に期待させることができ、遊技の興趣を向上させることができる。また、遊技状態の移行を伴わずに遊技用価値が付与されるだけの比較的価値の少ない特定小役表示結果の導出に対して遊技者を注目させることができ、遊技の興趣を向上させることができる。
また、特別表示結果は、それぞれが複数の可変表示部毎に異なる種類の図柄の組合せにより構成されるので、可変表示装置に導出された特別表示結果を遊技者が認識しづらくなり、特別表示結果が導出されたことを見落としやすくなるため、特定小役表示結果の導出が所定ゲーム数だけ連続した場合には、実際には特定遊技状態に制御されることがない場合、すなわち通常遊技状態に制御されている場合であっても、特定遊技状態への移行に対する遊技者の期待感を効果的に高めることができる。
更に、特別遊技状態及びその後の特定遊技状態への制御、特定可能性演出は、それぞれ特別表示結果の導出、特定小役表示結果の所定ゲーム数連続した導出という可変表示装置の表示結果に関連して行なわれるものであり、可変表示装置に導出される表示結果と無関係に遊技状態の制御が決定されたり、演出が決定されたりすることがない。このため、スロットマシン本来の遊技性を踏襲しつつ、特定小役表示結果の導出および特定遊技状態への制御に対して遊技者の関心を向けさせることができる。
また、特定小役表示結果の導出を許容する旨が決定されたゲームにおいて、当該ゲームの遊技状態が通常遊技状態であるか、特別遊技状態であるか、に応じて異なる割合で複数態様の演出用小役表示結果のうちいずれか１態様の演出用小役表示結果が選択され、選択された態様の演出用小役表示結果が演出用表示手段に表示されるため、特定小役表示結果が導出された際に、演出用表示手段に表示された演出用小役表示結果の態様によって特定遊技状態への移行に対する遊技者の期待感を高めることができる。
尚、所定数の賭数とは、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、前記小役決定手段は、遊技用価値の付与を伴う特定小役表示結果として、１種類のみの特定小役表示結果の導出を許容する旨を決定するものであっても良いし、複数種類の特定小役表示結果の導出を許容する旨を決定するものであっても良い。
また、特別遊技状態特定不能化制御が、前記特別遊技状態に制御されていることを遊技者が特定不能となる演出用表示結果を前記演出用表示手段に表示させる制御を行うとは、前記通常遊技状態において制御されている場合でも表示される演出用表示結果を前記演出用表示手段に表示させる制御を行うことである。
【手続補正３】
【補正対象書類名】明細書
【補正対象項目名】００１２
【補正方法】変更
【補正の内容】
【００１２】
本発明の請求項２に記載のスロットマシンは、請求項１に記載のスロットマシンであって、
前記複数態様の演出用小役表示結果は、前記演出用表示手段（液晶表示器５１）における所定の位置（演出用入賞ラインＬｓ１〜５）に第１の演出用小役図柄（ベル）が表示される第１の演出用小役表示結果（パターン番号１０、１１の表示パターン）、及び前記演出用表示手段における前記所定の位置（演出用入賞ラインＬｓ１〜５）に第２の演出用小役図柄（チェリー、スイカ）が表示される第２の演出用小役表示結果（パターン番号０５〜０８の表示パターン）を含み、
前記演出用小役表示結果選択手段は、
前記事前決定手段により前記特定小役表示結果の導出を許容する旨が決定されたゲーム（１５枚役が当選したゲーム）において当該ゲームが前記通常遊技状態である場合に、前記第１の演出用小役表示結果（パターン番号１０、１１の表示パターン）を前記第２の演出用小役表示結果（パターン番号０５〜０８の表示パターン）よりも高い割合で選択する通常時演出用小役表示結果選択手段と、
前記事前決定手段により前記特定小役表示結果の導出を許容する旨が決定されたゲーム（１５枚役が当選したゲーム）において当該ゲームが前記特別遊技状態（レギュラーボーナス）である場合に、前記第２の演出用小役表示結果（パターン番号０５〜０８の表示パターン）を前記通常時演出用小役表示結果選択手段よりも高い割合で選択する特別時演出用小役表示結果選択手段と、
を含む、
ことを特徴としている。
この特徴によれば、特定小役表示結果が導出された際に、演出用表示手段における所定の位置に第２の演出用小役図柄が表示されることで、所定の位置に第１の演出用小役図柄が表示された場合よりも特別遊技状態に制御されていること、すなわちその後特定遊技状態に制御される可能性が高まるため、特定遊技状態への移行に対する遊技者の期待感を効果的に高めることができる。
尚、前記演出用表示手段における所定の位置に演出用小役図柄が表示されるとは、例えば、演出用小役図柄が単独で所定の位置に表示されるものであっても良いし、演出用表示手段における所定の演出用入賞ライン上に演出用小役図柄の組み合わせが表示されるものであっても良い。
【手続補正４】
【補正対象書類名】明細書
【補正対象項目名】００１３
【補正方法】変更
【補正の内容】
【００１３】
本発明の請求項３に記載のスロットマシンは、請求項１または２に記載のスロットマシンであって、
前記複数態様の演出用小役表示結果は、前記演出用表示手段（液晶表示器５１）における単一の演出用入賞ライン（演出用入賞ラインＬｓ１〜５）上にのみ演出用小役図柄（チェリー、スイカ、ベル）が揃う単一演出用小役表示結果（パターン番号０５、０７、１０の表示パターン）、及び前記演出用表示手段における複数の演出用入賞ライン（演出用入賞ラインＬｓ１〜５）上に前記演出用小役図柄（チェリー、スイカ、ベル）が同時に揃う複数演出用小役表示結果（パターン番号０６、０８、１１の表示パターン）を含み、
前記演出用小役表示結果選択手段は、
前記事前決定手段により前記特定小役表示結果の導出を許容する旨が決定されたゲーム（１５枚役が当選したゲーム）において当該ゲームが前記通常遊技状態である場合に、前記単一演出用小役表示結果（パターン番号０５、０７、１０の表示パターン）を前記複数演出用小役表示結果（パターン番号０６、０８、１１の表示パターン）よりも高い割合で選択する通常時演出用小役表示結果選択手段と、
前記事前決定手段により前記特定小役表示結果の導出を許容する旨が決定されたゲーム（１５枚役が当選したゲーム）において当該ゲームが前記特別遊技状態（レギュラーボーナス）である場合に、前記複数演出用小役表示結果（パターン番号０６、０８、１１の表示パターン）を前記通常時演出用小役表示結果選択手段よりも高い割合で選択する特別時演出用小役表示結果選択手段と、
を含む、
ことを特徴としている。
この特徴によれば、特定小役表示結果が導出された際に、演出用表示手段における複数の演出用入賞ライン上に演出用小役図柄が揃うことで、単一の演出用入賞ライン上に演出用小役図柄が揃ったよりも特別遊技状態に制御されていること、すなわちその後特定遊技状態に制御される可能性が高まるため、特定遊技状態への移行に対する遊技者の期待感を効果的に高めることができる。
【手続補正５】
【補正対象書類名】明細書
【補正対象項目名】００１４
【補正方法】変更
【補正の内容】
【００１４】
本発明の請求項４に記載のスロットマシンは、請求項２または３に記載のスロットマシンであって、
前記演出用小役表示結果選択手段は、前記事前決定手段により前記特定小役表示結果の導出を許容する旨が決定されたゲーム（１５枚役が当選したゲーム）において、前記特定小役表示結果の導出が連続する程、前記第２の演出用小役表示結果（パターン番号０５〜０８の表示パターン）または前記複数演出用小役表示結果（パターン番号０６、０８、１１の表示パターン）を高い割合で選択する、
ことを特徴としている。
この特徴によれば、特別遊技状態においては、所定ゲーム数に近づく程、第２の演出用小役表示結果または複数演出用小役表示結果、すなわち特定遊技状態に制御される可能性の高い演出用小役表示結果が高い割合で表示されるので、これらの演出用小役表示結果が表示されない場合でも、演出用小役表示結果が連続して表示されている間は特定遊技状態への移行に対する遊技者の期待感を持続させることができる。
【手続補正６】
【補正対象書類名】明細書
【補正対象項目名】００１５
【補正方法】変更
【補正の内容】
【００１５】
本発明の請求項５に記載のスロットマシンは、請求項１〜４のいずれかに記載のスロットマシンであって、
前記表示制御手段は、前記事前決定手段により前記特定小役表示結果の導出を許容する旨が決定されたゲーム（１５枚役が当選したゲーム）において当該ゲームが前記特別遊技状態（レギュラーボーナス）であることを条件に、前記複数態様の演出用小役表示結果（パターン番号０５〜０８、１０、１１の表示パターン）とは異なる特殊演出用表示結果（パターン番号０９、１２の表示パターン）を前記演出用表示手段（液晶表示器５１の変動領域）に表示させる制御を行う特殊演出用表示結果表示制御手段を含む、
ことを特徴としている。
この特徴によれば、特定小役表示結果が導出された際に、演出用表示手段に特殊演出用小役表示結果が表示されることで、特別遊技状態に制御されていること、すなわちその後特定遊技状態に制御されることが確定するため、特定遊技状態への移行に対する遊技者の期待感を最大限に高めることができる。
【手続補正７】
【補正対象書類名】明細書
【補正対象項目名】００１６
【補正方法】変更
【補正の内容】
【００１６】
本発明の請求項６に記載のスロットマシンは、請求項５に記載のスロットマシンであって、
前記特殊演出用表示結果表示制御手段は、前記事前決定手段により前記特定小役表示結果の導出を許容する旨が決定されたゲーム（１５枚役が当選したゲーム）において当該ゲームが前記特別遊技状態（レギュラーボーナス）である場合に、前記特定小役表示結果の導出が連続する程、前記特殊演出用小役表示結果（パターン番号０９、１２の表示パターン）を高い割合で表示させる制御を行う、
ことを特徴としている。
この特徴によれば、特別遊技状態においては、所定ゲーム数に近づく程、特殊演出用小役表示結果、すなわち特定遊技状態に制御されることが確定する演出用小役表示結果が高い割合で表示されるので、これらの演出用小役表示結果が表示されない場合でも、演出用小役表示結果が連続して表示されている間は特定遊技状態への移行に対する遊技者の期待感を持続させることができる。
【手続補正８】
【補正対象書類名】明細書
【補正対象項目名】００１７
【補正方法】変更
【補正の内容】
【００１７】
本発明の請求項７に記載のスロットマシンは、請求項１〜６のいずれかに記載のスロットマシンであって、
前記可変表示装置に前記特定小役表示結果が連続して導出されたゲーム数を報知する小役連続ゲーム数報知手段（小役連続ＬＥＤ「１」〜「３」）を備える、
ことを特徴としている。
この特徴によれば、特定小役表示結果が連続して導出されたゲーム数が報知されるため、段階的に特定遊技状態への移行に対する遊技者の期待感を高めることができる。
【手続補正９】
【補正対象書類名】明細書
【補正対象項目名】００１８
【補正方法】変更
【補正の内容】
【００１８】
本発明の請求項８に記載のスロットマシンは、請求項７に記載のスロットマシンであって、
前記小役連続ゲーム数報知手段は、前記特別遊技状態（レギュラーボーナス）の対象外となる入賞表示結果（リプレイ）が前記可変表示装置に導出された場合に、前記特定小役表示結果が連続して導出されたゲーム数の報知を終了する（小役連続ＬＥＤ「１」〜「３」を消灯する）、
ことを特徴としている。
この特徴によれば、特別遊技状態であることを否定する入賞表示結果が導出された場合、すなわちその後特定遊技状態へ移行することがないことが遊技者が判断できる場合には、特定小役表示結果が連続して導出されたゲーム数の報知が終了するので、意味のない報知が継続して行われてしまうことがなく、遊技者に不快感を与えてしまうことを防止できる。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
本発明の請求項９に記載のスロットマシンは、請求項１〜８のいずれかに記載のスロットマシンであって、
前記特別遊技状態特定不能化制御手段は、前記事前決定手段により前記特別表示結果の導出を許容する旨が決定されたゲーム（レギュラーボーナスに当選したゲーム）、及び前記事前決定手段によりいずれの入賞表示結果の導出も許容しない旨が決定されたゲーム（いずれの役も当選していないゲーム）において、演出用ハズレ表示結果（いずれの演出用図柄の組み合わせも演出用入賞ラインＬｓ１〜５のいずれにも揃わない表示態様）を前記演出用表示手段（液晶表示器５１）に表示させる演出用ハズレ表示結果表示制御手段を含む、
ことを特徴としている。
この特徴によれば、可変表示装置に導出された特別表示結果であっても、演出用表示手段には、いずれの入賞表示結果の導出も許容されていないゲームと同一の演出用ハズレ表示結果が表示され、特別表示結果が導出されたことを見落としやすくなるため、特定小役表示結果の導出が所定ゲーム数だけ連続した場合には、実際には特定遊技状態に制御されることがない場合、すなわち通常遊技状態に制御されている場合であっても、特定遊技状態への移行に対する遊技者の期待感を効果的に高めることができる。
【手続補正１３】
【補正対象書類名】明細書
【補正対象項目名】００２２
【補正方法】変更
【補正の内容】
【００２２】
本発明の請求項１０に記載のスロットマシンは、請求項１〜９のいずれかに記載のスロットマシンであって、
前記演出用表示手段（液晶表示器５１の変動領域）は、前記可変表示装置（リール２Ｌ、２Ｃ、２Ｒの表示領域）よりも視認容易に設けられている、
ことを特徴としている。
この特徴によれば、可変表示装置に導出された表示結果よりも演出用表示手段の表示内容に遊技者の注意を向けさせることができ、特別表示結果が導出されたことを見落としやすくなるため、特定小役表示結果の導出が所定ゲーム数だけ連続した場合には、実際には特定遊技状態に制御されることがない場合、すなわち通常遊技状態に制御されている場合であっても、特定遊技状態への移行に対する遊技者の期待感を効果的に高めることができる。
尚、前記演出用表示手段が、前記可変表示装置よりも視認容易に設けられているとは、例えば、演出用表示手段の表示領域が可変表示装置の表示領域よりも大きく形成されているものや、演出用表示手段の表示領域の配置位置が、可変表示装置の表示領域の配置位置よりも視認しやすい位置とされているものが該当する。